(57)【要約】【課題】幼児に絵本を読み聞かせるため及び高齢者のリハビリ用、語学教材、各種のマニュアルの説明等に用いられる冊子読み聞かせ装置の提供。【解決手段】本考案の冊子読み聞かせ装置は、本体部１１と上蓋１３からなり、上蓋１３の接続部付近には、リードスイッチＤ１乃至Ｄ５が接続部に沿って設けられており、一方、絵本の各ページのリードスイッチに対向した位置に磁石片Ｐ１に対してＪ１を有し、Ｐ２乃至Ｐ５に対しては、それぞれＪ２乃至Ｊ５が設けられており、リードスイッチに磁石片を接触又は近づけると動作し、そのページに書かれている文章を声で聞くことができる。【選択図】図２
0003107027.tif 000002
【実用新案登録請求の範囲】
【請求項１】
端部に取っ手を有する本体部の他端で上蓋が接続部により開閉可能に接続されているファイル状読み聞かせ装置であって、該本体部には、音声カセット収納部、回路基板、スピーカー、音量調整器、切り替えスイッチが内臓され、該本体部は電池収納部を備えた中蓋で覆われ、かつ該中蓋の接続部には、冊子の綴じ代の接続用環状体を係合し得る溝を有し、また上蓋の接続部付近には、ページ読み取り用リードスイッチを有し、更に前記上蓋を開いた後、該表面に綴じ代に磁石片が設けられた声のでる冊子をセットする際に、該溝に前記接続用環状体を取り外し可能に取り付け、該冊子を開くと、前記ページ読み取り用リードスイッチと磁石片とでページに同調して該ページの内容を音声により表現しうるように構成したことを特徴とする冊子読み聞かせ装置。
【請求項２】
端部に取っ手を有する本体部の他端で上蓋が接続部により開閉可能に接続されているファイル状読み聞かせ装置であって、該本体部には、音声カセット収納部、回路基板、スピーカー、音量調整器、切り替えスイッチが内臓され、該本体部は電池収納部を備えた中蓋で覆われ、かつ該中蓋の接続部には、冊子の綴じ代の接続用環状体を係合し得る溝を有し、また上蓋の接続部付近には、ページ読み取り用リードスイッチを有し、更に前記上蓋を開いた後、該表面に綴じ代に磁石片が設けられた声のでる冊子をセットする際に、該溝に前記接続用環状体を取り外し可能に取り付け、該冊子を開くと、前記ページ読み取り用リードスイッチと磁石片とでページに同調して該ページの内容を一国語音声により表現し、更に前記切り替えスイッチで切り替えることにより他国語音声により表現しうるように構成したことを特徴とする冊子読み聞かせ装置。
【請求項３】
前記一国語が日本語であることを特徴とする請求項２に記載の冊子読み聞かせ装置。
【請求項４】
前記他国語が少なくとも英語であることを特徴とする請求項２に記載の冊子読み聞かせ装置。
【請求項５】
本体部の接続部に設けられた溝が長方形からなり、かつ該長方形溝には、対向して突起を有することを特徴とする請求項１乃至請求項４のいずれかに記載の冊子読み聞かせ装置。
【請求項６】
前記ページ読み取り用リードスイッチは、磁石片と組み合わされていると共に上蓋の接続部付近に設けることを特徴とする請求項１乃至請求項５のいずれかに記載の冊子読み聞かせ装置。
【考案の詳細な説明】
【技術分野】
【０００１】
本考案は、冊子読み聞かせ装置に関するもので、更に詳しくは、幼児に絵本を読み聞かせたり、高齢者のリハビリ用、語学教材、各種のマニュアルの説明等に用いられる冊子読み聞かせ装置に関する。
【背景技術】
【０００２】
従来、絵本に描かれている像、ライオン、犬、猫、ニワトリなどの鳴き声を音声ＩＣにより再現することは、知られており、例えば、音声合成技術を利用し、本を開いたときに、開いたページに対応して該ページに記載されている内容を音声により表現したり、メロディーで表現したりできる音声付本が開示されている（例えば、特許文献１参照）。またこのような音のでる絵本において、ページと同調してそのページの内容を発生させるためのマグネットスイッチについても開示されている（例えば、特許文献２参照）。
【特許文献１】実開昭５９−１５３２６９号公報（実用新案登録請求の範囲、第１頁乃至第２頁、図１、図２）
【特許文献２】実開昭６０−１２９９９８号公報（実用新案登録請求の範囲）
【考案の開示】
【考案が解決しようとする課題】
【０００３】
しかしながら、前述の如き特許文献１に記載されている如き音声付本は、原理においては、同じくするものの、綴じ代の接続部における構成については記載がないばかりかマグネットスイッチの構造が、絵本の画部端に設けられているので、絵本を開いたとき、押えていないと飛来阿多ページが下のページと離れてしまい十分な接触状態を保持し得ないという問題がある。そこで、本考案者は、各ページの綴じ代部にマグネットスイッチを有する点で、本を開いて置くだけでも十分な接触が得られるので、母親等は、一緒にいる必要はなく、ページを開いたら、読み終わるまで、自分の用事をすることができるという利点がある。したがって、本考案が解決しようとする第１の課題は、幼児に絵本を読み聞かせるための冊子読み聞かせ装置を提供することにある。また本考案が解決しようとする第２の課題は、高齢者のリハビリ用、語学教材、各種のマニュアルの説明等に用いられる冊子読み聞かせ装置を提供することにある。
【課題を解決するための手段】
【０００４】
本考案の上記各課題は、以下の各考案によってそれぞれ達成される。
（１）端部に取っ手を有する本体部の他端で上蓋が接続部により開閉可能に接続されているファイル状読み聞かせ装置であって、該本体部には、音声カセット収納部、回路基板、スピーカー、音量調整器、切り替えスイッチが内臓され、該本体部は電池収納部を備えた中蓋で覆われ、かつ該中蓋の接続部には、冊子の綴じ代の接続用環状体を係合し得る溝を有し、また上蓋の接続部付近には、ページ読み取り用リードスイッチを有し、更に前記上蓋を開いた後、該表面に綴じ代に磁石片が設けられた声のでる冊子をセットする際、該溝に前記接続用環状体を取り外し可能に取り付け、該冊子を開くと、前記ページ読み取り用リードスイッチと磁石片とでページに同調して該ページの内容を音声により表現しうるように構成したことを特徴とする冊子読み聞かせ装置。
（２）端部に取っ手を有する本体部の他端で上蓋が接続部により開閉可能に接続されているファイル状読み聞かせ装置であって、該本体部には、音声カセット収納部、回路基板、スピーカー、音量調整器、切り替えスイッチが内臓され、該本体部は電池収納部を備えた中蓋で覆われ、かつ該中蓋の接続部には、冊子の綴じ代の接続用環状体を係合し得る溝を有し、また上蓋の接続部付近には、ページ読み取り用リードスイッチを有し、更に前記上蓋を開いた後、該表面に綴じ代に磁石片が設けられた声のでる冊子をセットする際、該溝に前記接続用環状体を取り外し可能に取り付け、該冊子を開くと、前記ページ読み取り用リードスイッチと磁石片とでページに同調して該ページの内容を一国語音声により表現し、更に前記切り替えスイッチで切り替えることにより他国語音声により表現しうるように構成したことを特徴とする冊子読み聞かせ装置。
（３）前記一国語が日本語であることを特徴とする前記第２項に記載の冊子読み聞かせ装置。
（４）前記他国語が少なくとも英語であることを特徴とする前記第２項に記載の冊子読み聞かせ装置。
（５）本体部の接続部に設けられた溝が長方形からなり、かつ該長方形溝には、対向して突起を有することを特徴とする前記第１項乃至第４項のいずれかに記載の冊子読み聞かせ装置。
（６）前記ページ読み取り用リードスイッチは、磁石片と組み合わされていると共に上蓋の接続部付近に設けることを特徴とする前記第１項乃至第５項のいずれかに記載の冊子読み聞かせ装置。
【考案の効果】
【０００５】
本考案の第１項に記載の冊子読み聞かせ装置によれば、端部に取っ手を有する本体部の他端で上蓋が接続部により開閉可能に接続されているファイル状読み聞かせ装置であって、該本体部に設けられた中蓋の接続部には、冊子の綴じ代の接続用環状体を係合し得る溝を有し、また前記上蓋の接続部付近には、ページ読み取り用リードスイッチを有し、更に前記上蓋を開いた後、該表面に綴じ代に磁石片が設けられた声のでる冊子をセットする際、該溝に前記接続用環状体を取り外し可能に取り付け、該冊子を開くと、前記ページ読み取り用リードスイッチと磁石片とでページに同調して該ページの内容を音声により表現しうるように構成したことにより、ページをめくるとそのページに記載されている絵を見ることができるばかりでなく、音声により文字を読み聞かせしてくれるので、幼児でも簡単に絵本のページをめくってそのページの内容を知ることができるという優れた効果を奏するものである。この冊子の内容が、幼児用絵本ばかりでなくカラオケ等の歌の本や語学用教材であってもよく、また各種のマニュアルの説明文でもよく、更には、特に高齢者のリハビリ用教材、例えば、絵と共に童謡等の歌のメロディーを流すようにしてもよい。
【０００６】
また上記の本考案の第２項に記載の冊子読み聞かせ装置によれば、端部に取っ手を有する本体部の他端で上蓋が接続部により開閉可能に接続されているファイル状読み聞かせ装置であって、該本体部には、音声カセット収納部、回路基板、スピーカー、音量調整器、切り替えスイッチが内臓され、該本体は電池収納部を備えた中蓋で覆われ、かつ該中蓋の接続部には、冊子の綴じ代の接続用環状体を係合し得る溝を有し、また上蓋の接続部付近には、ページ読み取り用リードスイッチを有し、更に前記上蓋を開いた後、該溝に、綴じ代に磁石片が設けられた声のでる冊子の綴じ代の接続用環状体を取り外し可能に取り付け、該冊子を開くと、前記ページ読み取り用リードスイッチと磁石片とでページに同調して該ページの内容を一国語音声により表現し、更に前記切り替えスイッチで切り替えることにより他国語音声により表現しうるように構成したことにより、ページをめくるとそのページに記載されている絵を見ると同時に音声により文字を読み聞かせてくれるので、幼児や児童でも簡単に絵本のページをめくってそのページの内容を知ることができるとともに、一国語でその内容を聞くことができるばかりでなく、切り替えスイッチにより切り替えて他国語で聞くこともできるという優れた効果を奏するものである。
【０００７】
本考案の第３項に記載の冊子読み聞かせ装置は、前記一国語が日本語であることにより、日本国内向けの製品とすることができるばかりでなく、外国人のための日本語教材とすることもできる。また上記の本考案の第４項に記載の冊子読み聞かせ装置は、前記他国語が少なくとも英語であることにより、国内向けの英語教材とすることができる。更に本考案の第５項に記載の冊子読み聞かせ装置は、本体部の接続部に設けられた溝が長方形からなり、かつ該長方形溝には、対向して突起を有することにより、冊子を本体にセットすることができるとともに、容易に取り外しが可能であるという優れた効果を奏するものである。本考案の第６項に記載の冊子読み聞かせ装置は、前記ページ読み取り用リードスイッチは、磁石片と組み合わされていると共に上蓋の接続部付近に設けることにより、本を開いて置くだけでも十分な接触が得られるという優れた効果を奏するものである。
【考案を実施するための最良の形態】
【０００８】
以下に、本考案の実施の形態を図面で説明するが、本考案は、これに限定されるものではない。図１は、本考案の絵本をセットした冊子読み聞かせ装置を示す平面図である。図２は、本考案の冊子読み聞かせ装置に絵本をセットしたところを示す斜視図である。図３は、本考案の冊子読み聞かせ装置の本体部を示す斜視図である。図４は、切り替えスイッチで音声の切り替えするときの配線図である。図５は、切り替えスイッチの配線図である。図１乃至図３において、本考案の冊子読み聞かせ装置は、本体部１１と上蓋１３からなり、これらは端部同士で上蓋に設けられた軸受５、５で本体に有する軸状突起と嵌合して回転可能に接続されている。また上蓋１３の接続部に対して反対側の端部には縦方向に対向して開閉用フランジ９、９を有し、上蓋１３の開閉時にこのフランジを持って開閉する。図３から明らかなように、上蓋１３の接続部付近には、リードスイッチＤ１、Ｄ２、Ｄ３、Ｄ４、Ｄ５が接続部に沿って設けられており、一方、絵本の各ページのリードスイッチに対向した位置に磁石片Ｐ１に対してＪ１を有し、Ｐ２、Ｐ３、Ｐ４、Ｐ５に対しては、それぞれＪ２、Ｊ３、Ｊ４、Ｊ５が設けられており、リードスイッチに磁石片を接触又は近づけると動作する。即ち、例えば、このリードスイッチＤ１の上にページをめくって磁石片Ｊ１を近づけると、スイッチＤ１が動作してスイッチが切れる。これによりめくったページの絵と物語の内容がスピーカー６から流れ、この音声を聞き取ることができる。本考案の第１項に記載の冊子読み聞かせ装置では、一種類の言語の読み聞かせであるが、本考案の第２項の冊子読み聞かせ装置では、本体部１１の中蓋１２の適宜の場所に、切り替えスイッチ４が設けられており、図４に示されるようなリードスイッチの回路が示され、切り替えスイッチにより日本語と英語の切り替えによりいずれかの言語で聞くことができる。また一国語のみを扱う装置にする場合には、図５に示されるスイッチの配線図が用いられる。
【０００９】
本体部１１には接続部と反対側に取っ手７を有すると共にスピーカーが配置されている。また本体には音声カセット収納部１４、回路基板、音量調整器３、切り替えスイッチ４が内臓され、中蓋１２により覆われている。またこの中蓋１２の表面には電池ボックス２を有し、ここには乾電池が用いられるが、充電可能な電池、例えば、蓄電池などを用いてもよい。更に接続部１６には、端部に沿って長方形の溝１７が整列されており、これらの少なくとも２つ以上には、長方形の長手方向の側壁に突起１８ａ、１８ｂが対向して設けられている。この長方形の溝１７に絵本８の綴じ代に設けられている環状体１９を嵌合すると、突起１８ａ、１８ｂにより固定される。絵本８を取り外すときは、絵本を引っ張ることによって簡単に取り外すことができる。
【００１０】
本考案の冊子読み聞かせ装置は、絵本をセットし、その内容を入れた音声カセットをカセット収納部４に設置すれば、ページを開くと、そこに描かれた絵と同調してその内容を音読音で聞くことができる。絵本を語学教材として用いるには、通常、絵が描かれているページには単語が書かれており、シールには、単語を基礎とした文章が書かれている。単語スイッチの切り替えによって、単語か文章かを選択することができる。この操作は、単語と文章に限らず、音楽と朗読との切り替も同様にして行うことができる。本考案の冊子読み聞かせ装置は、幼児向けの絵本に好ましく使用できるが、この他、音符や歌詞の書かれた本をセットすれば、カラオケとして使用することができる。また英語などの語学教材、各種のマニュアルの説明や高齢者のリハビリ用として使用される。特に、リハビリ用としては、記憶を思い起こすように、昔歌った懐かしい童謡を絵を見せながら聞かせると、その絵と童謡から能動的に記憶を取り戻すことができるという優れた効果を奏する。
【産業上の利用可能性】
【００１１】
本考案では、前述の如き作用効果を発揮する用途として、幼児に絵本を読み聞かせたり、高齢者のリハビリ用、語学教材、各種のマニュアルの説明等に用いられるなど各種の分野で広く使用される。
【図面の簡単な説明】
【００１２】
【図１】本考案の冊子読み聞かせ装置を示す平面図である。
【図２】本考案の冊子読み聞かせ装置に絵本をセットしたところを示す斜視図である。
【図３】本考案の冊子読み聞かせ装置の本体部を示す斜視図である。
【図４】本考案に用いられる切り替えスイッチで音声の切り替えするときの配線図である。
【図５】本考案に用いられるスイッチのまた配線図である。
【符号の説明】
【００１３】
１  冊子読み聞かせ装置
２  電池ボックス
３  音量調整器
４  切替スイッチ
５  軸受
６  スピーカー
７  取っ手
８  冊子（絵本）
９  開閉用フランジ
１１  本体部
１２  中蓋
１３  上蓋
１４  カセット装着部
１５  接続部（上蓋）
１６  接続部（本体側）
１７  溝（長方形）
１８、１８ａ、１８ｂ  突起
１９  環状体（冊子用）
Ｄ、（Ｄ１、Ｄ２、Ｄ３、Ｄ４、Ｄ５）  リードスイッチ
Ｊ（Ｊ１、Ｊ２、Ｊ３、Ｊ４、Ｊ５）  磁石片
Ｐ１、Ｐ２、Ｐ３、Ｐ４、Ｐ５  ページ
【図１】
0003107027.tif 000003
【図２】
0003107027.tif 000004
【図３】
0003107027.tif 000005
【図４】
0003107027.tif 000006
【図５】
0003107027.tif 000007